(57)【要約】【課題】本発明は、陥入爪を発症している爪への無理な負担を強いることなく、安定した矯正環境下で陥入爪の治療を行うことができる、陥入爪矯正具を提供する。【解決手段】陥入爪により湾曲状に変形した爪縁部３まで摺動することで略平状の爪形へ形成ができる平坦化成形部２１と、該矯正作用体Ｋａを更に摺動し、平坦化成形部２１により略平状に形成された陥入爪１を間隙１４へ挿入した後、固着することで矯正作用を得る矯正作用部２２と、を具備し、外圧による長手方向の撓みを抑止できる剛性効果が強化された材を用いて形成された矯正作用体Ｋａは、該陥入爪１の矯正治療中、略平状で安定、保持した矯正環境下での治療を提供する。【選択図】図１
2010172687.tif 000002
【特許請求の範囲】
【請求項１】
矯正作用体は、外圧による長手方向の撓みを抑止できる剛性効果が強化された材を用い、人の爪に発症した陥入爪を挿入するための間隙を具備する短手方向断面略コの字状に成して、
陥入爪を発症した爪の中央略平状部の爪先端箇所へ該矯正作用体を挿着した後、湾曲状に発症している陥入爪の爪縁端部まで摺動することで、該陥入爪を略平状の爪形へ成形ができる平坦化成形部と、
該矯正作用体を、該平坦化成形部により略平状に形成された該陥入爪の発症部が該間隙に収まるまで、さらに摺動させた後、固定用テープまたは接着剤で該矯正作用体を固着して、略平状に形成された陥入爪の形状を保持できることで矯正効果を得る矯正作用部と
からなり、また、矯正中、剛性効果を有する矯正作用体により外圧の影響を受けず、安定した保持状態の矯正環境で陥入爪の矯正治療が行えるものにおいて、
湾曲状に変形した該陥入爪部の裏面を滑動しながら押進することで該陥入爪部を押し上げる舌状部を長手方向の少なくとも陥入爪に接触する端部に具備した下側平滑板と、爪甲表面に当接して該舌状部により押し上げられた陥入爪が爪床から剥離するのを防ぐための上側押え板と、でなる平坦化成形部と、
該上側押え板と該下側平滑板とが対向し形成された矯正用爪収容隙は、該平坦化成形部により略平状に形成された該陥入爪を略平状で固定、保持することで矯正効果を得て成す、矯正作用部と、
から成る、陥入爪矯正具。
【請求項２】
矯正作用体を短手方向断面略Ｃの字状で且つ長手方向略円筒形状に形成したことを特徴とする、請求項１記載の陥入爪矯正具。
【請求項３】
長手方向に直線で延びた案内溝を表面側に具備し、且つ外圧による長手方向の撓みの発生を抑止できる剛性効果が強化された材を用いて略平坦状に形成され、さらに爪接触面側には固定用の接着剤が塗布された平板の
少なくとも端部を、陥入爪の爪甲面略中央の略爪先端部へ固着した後、
該案内溝に係合し摺動を可能とした突部を上側押え板の適宜箇所に具備した矯正作用体が成す矯正用爪収容隙へ、陥入爪の中央略平状部の爪先端個所を、該案内溝に該突部を係合するように該平板ともども挿着したら、
該案内溝に該突部が係合しながら陥入爪爪縁部まで該矯正作用体を摺動することで、
該平板が該陥入爪の湾曲状を略平状へ形成しながら爪甲面部に固着されることで、
該矯正作用体を離脱させても、該平板が陥入爪部の爪形を略平状に固定し、保持した矯正環境で陥入爪の矯正治療が提供できることを特徴とした、請求項１の陥入爪矯正具。
【発明の詳細な説明】
【技術分野】
【０００１】本発明は、人の爪の爪縁部が湾曲状に変形して、爪廓の軟部組織に埋没し、損傷を与える陥入爪を修復するために用いられる陥入爪矯正具に関するものである。
【背景技術】
【０００２】陥入爪は、人の爪の爪縁部が湾曲状に変形し、腫脹した爪廓の軟部組織に埋没し、強い圧迫により痛みを発生させる疾患である。【００３】陥入爪を治療する場合は、次に述べるような方法がある。その１つには、弾性効果が強化された材、または形状記憶合金で平板状に形成された矯正具を爪甲表面に接着剤で固着する、復元力を陥入爪の修復に用いた矯正具である。［特許文献１］【００４】しかも、湾曲状に変形した爪縁部へ矯正具を湾曲状へ変形させて固着するのだが、該矯正具を湾曲状に変形させられたことで、強い弾性復元力が発生し、この弾性復元力が陥入爪へ作用し、正常な爪へなるよう矯正が行われる。
【特許文献１】特許第３４７４９９８号公報
【発明の開示】
【発明の解決しようとする課題】
【０００５】しかし、このような従来の陥入爪矯正具の場合、弾性効果が働く板を湾曲状へ変形させ、しかも腫脹した軟部組織に埋没した爪甲表面部へ接着剤で固着するには、困難を有する。
【０００６】また、装着時に指先で容易に撓める弾性材を用いた該矯正具では、靴や靴下などによる圧迫に対して、矯正具を装着した状態のまま容易に陥入爪患部ともども湾曲状に変形してしまうことで、治療期間が長期を要する課題がある。
【０００７】しかも、該矯正具の弾性復元力は陥入爪患部だけでなく、矯正具が固着している正常な部位へも影響を与えるため、爪床への着爪力が弱い女性や子供では、生爪を剥離させてしまう場合もある。
【０００８】また、弾性復元力で陥入爪を修復する際、爪が老化していたり、患部の脆性化が進行している場合、特に脆くなった部位に復元力が集中しやすくなり、平状への復元が困難になったり、波状に矯正されたり、ひどい場合には劈開してしまう場合など問題点もある。
【０００９】本願の発明は、陥入爪を発症している爪への無理な負担を強いることなく、陥入爪部の矯正治療を行うことができる、陥入爪矯正具を提供することを課題とする。
【課題を解決するための手段】
【００１０】請求項１の発明の陥入爪矯正具は、外圧による長手方向の撓みの発生を抑止できる剛性効果が強化された材を用い、人の爪に発症した陥入爪を挿入する間隙を形成する短手方向断面略コの字状に成している。
【００１１】陥入爪の矯正手段は、陥入爪を発症した爪の中央略平状部へ挿着した後、湾曲状に変形している爪縁部まで摺動することで、略平状の爪形へ形成ができる平坦化成形部と、
矯正作用体を更に摺動し、該間隙へ平坦化成形部により略平状に形成された陥入爪部を挿入し固着することで、該陥入爪は略平状で安定保持され、これにより矯正効果が得られる矯正作用部と
で矯正治療が行われる。
【００１２】また矯正中、略平状に固定された陥入爪は、外圧の影響を受けず、安定した保持状態の矯正環境で陥入爪の矯正治療が行えるものにおいて、
【００１３】湾曲状に変形した該陥入爪部の裏面を滑動しながら押進することで該陥入爪部を押し上げる舌状部を長手方向の少なくとも陥入爪に接触する端部に具備した下側平滑板と、爪甲表面に当接して該舌状部により押し上げられた陥入爪が爪床から剥離するのを防ぐための上側押え板と、でなる平坦化成形部と、
【００１４】該上側押え板と該下側平滑板とが対向し形成された矯正用爪収容隙は、該平坦化成形部により略平状に形成された該陥入爪を略平状で固定、保持することで矯正効果を得て成す、矯正作用部と、で陥入爪矯正具は形成している。
【００１５】請求項２の発明の陥入爪矯正具は、陥入爪矯正作用体を短手方向断面略Ｃの字状で且つ長手方向略円筒形状に形成したことを特徴とする、請求項１記載の陥入爪矯正具である。
【００１６】請求項３の発明の陥入爪矯正具は、長手方向に直線で延びた案内溝を表面側に具備し、且つ外圧による長手方向の撓みの発生を抑止できる剛性効果が強化された材を用いて略平坦状に形成され、
【００１７】さらに爪接触面側には固定用の接着剤が塗布された平板の少なくとも端部を、陥入爪の爪甲面中央の略爪先端部へ固着した後、陥入爪の中央略平状部の爪先端個所を、該案内溝に係合し摺動を可能とした突部を上側押え板の適宜箇所に具備した矯正作用体が成す矯正用爪収容隙へ、該案内溝に該突部を係合するように該平板ともども挿着したら、
【００１８】該案内溝に該突部が係合しながら陥入爪爪縁部まで該矯正作用体を摺動することで、該平板が該陥入爪の湾曲していた爪甲面部を略平状へ形成しながら固着されることで、該矯正作用体を離脱させても、該平板が陥入爪部の爪形を略平状に固定し、保持した矯正環境で陥入爪の矯正治療が提供できることを特徴とした、請求項１の陥入爪矯正具である。
【００１９】従来の陥入爪矯正具は陥入爪を発症した爪へ、弾性力の強い板状の矯正具を固着するため、湾曲状に変形した陥入爪への装着が困難であり、また、靴などの外圧に対して容易に変形を許してしまっていたが、前記請求項１および請求項２および請求項３の発明の構成によれば、従来と比較して、容易に装着しやすく、また外圧に対しての剛性効果が高いため、安定保持された矯正環境下で矯正治療が行える。
【００２０】尚、該下側平滑板の長手方向端部に具備した舌状部が、該陥入爪部を摺動することで、湾曲状に変形した陥入爪を押進しながら押し上げる作用をするのだが、該舌状部および該下側平滑板は陥入爪を少なくとも押し上げる際に歪まない剛性硬度に強化された材を用いていることで、その作用はなしえるものである。
【００２１】また、舌状部により押し上げられた陥入爪を、上側押え板が押さえ込む際、該上側押え板が撓むことがないよう剛性効果が強化された材を用いることにより、陥入爪が爪床から剥離することを防げることで、安全な成形操作が確保できる。
【００２２】陥入爪の痛みは通常、腫脹した爪廓の軟部組織に埋没した陥入爪の爪縁が圧迫を与えるために発生するので、埋没した該爪縁を軟部組織から引き出した時点で、痛みはなくなっている。
【００２３】さらに、平坦化成形部で略平状に成形された陥入爪を、拡開を防ぐ方向へ剛性効果が強化された矯正用爪収容隙へ挿入されることで、陥入爪は平坦化した略平状の形状のまま固定できるため、靴や靴下の締め付けなど外力に影響されず、該陥入爪は矯正中安定保持される。また、矯正時に略平状の爪形を一定に保持できることにより、陥入爪部を無理なく確実に矯正することができる。
【００２４】本発明の矯正具による陥入爪の治療において、爪のケラチンたん白質を組成するポリペプチド側鎖結合を、矯正する一時だけ変性させることで、陥入爪を形成する湾曲状の形状が緩み再形成しやすくなるめ、矯正具の治療効果に有効な手段である。
【００２５】なお前記のように、該ポリペプチド側鎖結合を変性させ、本発明の陥入爪矯正具を陥入爪部へ装着した後、該ポリペプチド側鎖結合を再結合させると、該陥入爪矯正具の矯正用爪収容隙の形状、すなわち略平状で形状を固定することができ、これにより爪の組成から修復できるため、矯正治療の効果はさらに高められる。
【００２６】請求項２の発明は、矯正具の短手方向断面略Ｃの字状に形成され、請求項１にみられる上側押え板と下側平滑板を連結していた結合部を曲状に一体化されたことで、矯正用爪収容隙に挿入された湾曲状に変形した陥入爪が略平状に成形されたことにより発生した復元力が、請求項１の場合、上側押え板と下側平滑板を結合している連結箇所に負担が集中する形状であることに対して、
【００２７】請求項２の長手方向略円筒形状に形成された矯正作用体は、受圧面積が大きくなることで、弾性変形の影響が、断面略コの字状に比較して少なく、この性質から、長期の使用においても安定した矯正効果が得られる。
【００２８】請求項３の発明は、平板の長手方向の端部が固着している陥入爪の中央略爪先端部の略平状箇所へ平板ともども請求項１の矯正作用体が成す間隙へ挿着した後、該矯正作用体を陥入爪爪縁部まで摺動したことで、陥入爪が略平状へ形成される。
【００２９】この時点で、爪接触面部に接着剤が塗布された平板と陥入爪が圧着されることで、爪形は略平状で保持される。そのため、靴や靴下などへ傷を付けないよう矯正治療中は、爪甲面側に突出する矯正作用体を取外しても、長手方向の撓みの発生を押えた剛性効果が強化された該平板が陥入爪の略平状の形状を保持でき、平板での矯正作用は維持される。
【発明の効果】
【００３０】請求項１の発明の陥入爪矯正具は、少なくとも外圧による矯正具の長手方向の撓みを発生しない程度に剛性効果が強化された材を用い、短手方向断面略コの字状に形成され、陥入爪を発症した人の爪の中央略平状部へ挿着し、発症している陥入爪の爪縁部まで、摺動することで、歪の少ない略平状の爪形へ成形できる平坦化成形部と、
【００３１】該平坦化成形部で略平状に形成された陥入爪の爪縁部を矯正用爪収容隙へ挿入することで、矯正中、陥入爪を略平状に保持、固定でき、さらに外力に影響されない剛性で形成されているため、常に安定保持できる矯正作用部とで、該矯正具の矯正手段は構成され、作用する。
【００３２】これにより、外圧の影響が少ないため治療中の爪形の変動が少なく、安定した矯正治療が行えることで、本発明の陥入爪矯正具を陥入爪部へ装着したまま、靴の形状や靴下などに気を使わずに日常生活が送れる。また、矯正具の装着にも、湾曲した患部への装着方法は摺動させるだけ、という容易さも、利点であり、またもう一つの特徴でもある。
【発明を実施するための最良の形態】
【００３３】以下、本発明の最良の実施形態を図面に基づき説明する。【００３４】本願発明の第一の実施の形態について、図１または図２を参照して説明する。
この実施の形態は人体の第一趾の爪に発症した陥入爪を矯正する矯正具を対象にしている。【００３５】図２において１は第一趾の爪に発症した陥入爪である。図１は本願の発明の第１の実施の形態である陥入爪矯正具Ｋａを示している。該陥入爪矯正具Ｋａの材質は、先端方向に狭まる靴や締め付けの強い靴下などによる外圧に対して、陥入爪の矯正中にあって該陥入爪矯正具Ｋａの長手方向の撓みを起こさず、且つ陥入爪へ挿着当時の該矯正具の外観形状を保持できる剛性力を有する、例えば合成高分子化合物または金属の中から少なくとも１つ以上から成る材から選択される。実施例１の陥入爪矯正具Ｋａは、ポリカーボネイト樹脂で形成されているが、長手方向外寸幅８ｍｍ程度、外寸丈４ｍｍ程度、外寸奥行き４ｍｍ程度の短手方向Ａ−Ａ断面略コの字状に形成される。なお下側平滑板１２は丈１．６ｍｍ程度、奥行き２．４ｍｍ程度から成り、また端部に形成されている舌状部１１の上辺２５は、下側平滑板１２の陥入爪へ内接する上辺から始まって、放物線状の円弧１５ｍｍＲ程度で下方へ向けて傾斜し、下側平滑板１２から連なる舌状部１１の下辺２６は端部方向に直線で伸び先端部２７で上辺２５に繋がっている。上側押え板１３は長手方向幅８ｍｍ程度、丈１．６ｍｍ程度、奥行き２．４ｍｍ程度で成り、結合部１５は長手方向幅８ｍｍ、丈４ｍｍ程度で成し、矯正用爪収容隙１４は丈０．８ｍｍ程度で開口したことで、陥入爪矯正具Ｋａは構成されている。【００３６】陥入爪矯正具Ｋａは図１に表れているとおり、舌状部１１と上側押え板１３とで作用する平坦化成形部２１と、上側押え板１３と下側平滑板１２が形成する矯正用爪収容隙１４が作用する矯正作用部２２と、で矯正具は構成されることで、陥入爪の矯正治療を行うものである。【００３７】図２（ａ）で表れているとおり、陥入爪１を発症している第一趾の爪は爪先端方向へ少なくとも２ｍｍ伸びている。該爪の中央略平状部２へ陥入爪矯正具Ｋａを矯正用爪収容隙１４を用いて挿着し、舌状部１１の上辺２５が湾曲状に発症した陥入爪の裏面に内接しながら、図２（ｂ）で表れているとおり、陥入爪１の爪縁部３まで爪甲表面４側を押進することで、陥入爪を摺動し、陥入爪１の湾曲状部は舌状部１１により押し上げられるが、上側押え板１３が当接することによって制御され、爪床から剥離することなく、安全に略平状へ形成される。【００３８】該陥入爪矯正具Ｋａが陥入爪１の爪縁部３の方向へ移動することで、該陥入爪１は、該平坦化成形部２１により略平状へ形成されながら矯正用爪収容隙１４へ順次送られ、陥入爪矯正具Ｋａが爪縁部に到達した時点で、湾曲状に発症していた陥入爪１は、矯正作用部に略平状に収まり、外圧の影響を受けることなく、安定保持された矯正環境で矯正治療は行われる。【００３９】なお、陥入爪矯正具Ｋａの挿着位置が外圧により移動したり、脱離したりしないよう、該陥入爪矯正具Ｋａと陥入爪１の爪甲表面４との接触部に接着剤を塗布し固着するか、または図２（ｃ）で表れているとおり固定用テープを用いて固定して、矯正治療の効果をより安定させることも出来る。【００４０】なお爪の矯正を安全に且つ無理なく行うことができる該陥入爪矯正具Ｋａの取り付けは、爪へ無理なく容易に取付けることができる。【００４１】図３は、請求項２の発明に係る陥入爪矯正具Ｋｂの実施の形態を示している。
陥入爪矯正具Ｋｂの長手方向の剛性効果を有する材により、短手方向直径４ｍｍ程度の短手方向Ｂ−Ｂ断面略Ｃの字状、長手方向幅８ｍｍ程度、矯正用爪収容間隙１４の丈０．８ｍｍ程度、また下側平滑板１２の端部に形成されている舌状部１１の上辺２５は、下側平滑板１２の陥入爪へ内接する上辺から始まって、放物線状の円弧１５ｍｍＲ程度で下方へ向けて傾斜し、下側平滑板１２から連なる舌状部１１の下辺２６は端部方向に直線で伸び先端部２７で上辺２５に繋がって形成した陥入爪矯正具Ｋｂは、短手方向断面略コの字状を上側押え板１３と下側平滑板１２とその結合部１５を平板で成す陥入爪矯正具Ｋａと比較しても、短手方向Ｂ−Ｂ断面略Ｃの字状の円筒構造で形成されているため、受圧面積が大きくなることで、矯正用爪収容間隙１４の拡開方向に対する変形や外圧による弾性変形の影響が少なく、矯正治療時に陥入爪の形状を固定し保持するのには適している矯正具の形状の一つであり、長期の矯正治療への使用においては請求項１の陥入爪矯正具Ｋａよりも安定した矯正治療が行えると思われる。【００４２】図４は、請求項３の陥入爪矯正具Ｋｃの実施形態を示している。
図４（ａ）で表れている通り、爪先の中央略平状部２に陥入爪矯正具Ｋｃの端部だけを接着剤により固着され、陥入爪爪縁部３まで延びた平板１７は平状板であり、長手方向幅１２ｍｍ程度、厚さ２ｍｍ程度、短手方向奥行き５ｍｍ程度の該平板１７には長手方向幅１２ｍｍ程度、短手方向奥行き３ｍｍ程度、深さ０．５ｍｍ程度の案内溝１８が形成されている。使用材は合成高分子材料または金属の中から長手方向に撓まない剛性効果を有する材から選択される。尚、実施例に示された平板１７は、アクリル樹脂で形成されている。【００４３】長手方向幅６ｍｍ程度、且つ、上側押え板１３と案内溝１８が嵌合できるよう矯正用爪収容隙１４の開口丈は略３ｍｍ程度に拡開され、また上側押え板１３の該嵌合接触部には長手方向幅６ｍｍ程度、丈０．５ｍｍ程度、短手方向奥行き１．５ｍｍ程度の突部１９が適宜位置に形成され、舌状部１１の形状は陥入爪矯正具Ｋａに準じた該陥入爪矯正具Ｋｃは、爪先の中央略平状部２へ平板１７ともども矯正用爪収容隙１４へ挿入することで、陥入爪の矯正治療を行う。【００４４】図４（ｂ）は、陥入爪矯正具Ｋｃを中央略平状部２から陥入爪の爪縁部３まで摺動させることで、湾曲状に変形した陥入爪１を略平状へ形成し、陥入爪矯正具を固定用テープ１６で固着し、矯正治療を施している形態を示した斜視図である。【００４５】なお図４（ｃ）は、陥入爪矯正具Ｋｃが陥入爪の爪縁部３にまで達した時点で、長手方向に撓みを起こさない剛性材で形成されて且つ爪甲に接する裏面には固着用接着剤が塗布されている平板１７を陥入爪へ固着した後、陥入爪矯正具Ｋｃを取外し、平板１７だけが陥入爪に固着して、陥入爪が略平状で固定され、安定した状態で保持され矯正治療が施されている別の実施の例を示している。【００４６】本発明の矯正具を長期間使用するにあたって、爪甲方向へ突出する矯正具が、靴下などの履物に傷を付けてしまわないよう、平板１７を用いることで、図４（ｃ）で表れる通り、陥入爪矯正具Ｋｃを取外しても、陥入爪を略平状へ成形する能力は無いものの、矯正中陥入爪を略平状に保持できる剛性能を持つ平板１７の作用により、外圧から陥入爪は矯正治療を阻害されること無く、矯正能力は陥入爪矯正具Ｋｃと変わらない性能を発揮される。【００４７】図５は、請求項１記載の陥入爪矯正具Ｋａの結合部１５の背面部に合成樹脂または金属から選択された材により形成された取っ手３１を具備し、操作性を向上させた別の実施の例である。尚、取っ手３１は脱着式にしてもよい。【００４８】図６は、請求項１記載の陥入爪矯正具Ｋａの、下側平滑板１２の外面開口部の端部には下側操作板３２と、上側押え板１３の外面開口部の端部には上側操作板３３を、合成樹脂または金属から選択された材により形成されて夫々具備し、下側操作板３２と上側操作板３３の外側を同時に指で摘み、挟圧することで、矯正用爪収容隙１４の開口部が拡開できることで爪への装着を容易にできる、操作性を向上させた別の実施例である。尚、夫々操作板は脱着式にしてもよい。【００４９】また、本発明は以上の実施形態に限定されるものではなく、矯正具の本体や舌状部や平板や案内溝や突部や取っ手など、適宜設計変更できるものである。
【図面の簡単な説明】
【００５０】
【図１】（ａ）請求項１記載の陥入爪矯正具の発明における第１の実施の形態を表す正面図。（ｂ）Ａ−Ａ線に沿う断面図。
【図２】（ａ）請求項１記載の陥入爪矯正具の発明における装着の例を表す斜視図。（ｂ）請求項１記載の陥入爪矯正具の発明における装着の例を表す斜視図。（ｃ）請求項１記載の陥入爪矯正具の発明における装着の例を表す斜視図。
【図３】（ａ）請求項２記載の陥入爪矯正具の発明における第１の実施の形態を表す正面図。（ｂ）Ｂ−Ｂ線に沿う断面図。
【図４】（ａ）請求項３記載の陥入爪矯正具の発明における第１の実施の形態を表す斜視図。（ｂ）請求項３記載の陥入爪矯正具の発明における第１の実施の形態を表す斜視図。（ｃ）請求項３記載の陥入爪矯正具の発明における第１の実施の形態を表す斜視図。
【図５】請求項１記載の陥入爪矯正具の発明における別の実施の形態を表す正面図。
【図６】請求項１記載の陥入爪矯正具の発明における別の実施の形態を表す正面図。
【符号の説明】
【００５１】Ｋａは、陥入爪矯正具
Ｋｂは、陥入爪矯正具
Ｋｃは、陥入爪矯正具
Ｋｄは、陥入爪矯正具
Ｋｅは、陥入爪矯正具
１１は、舌状部
１２は、下側平滑板
１３は、上側押え板
１４は、矯正用爪収容隙
１７は、平板
１８は、案内溝
１９は、突部
３１は、取っ手
３２は、下側操作板
３３は、上側操作板
【図１】
2010172687.tif 000003
【図２】
2010172687.tif 000004
【図３】
2010172687.tif 000005
【図４】
2010172687.tif 000006
【図５】
2010172687.tif 000007
【図６】
2010172687.tif 000008